(57)【要約】【課題】  光ディスクドライブの主軸モーターの水平方向調整装置を提供する。【解決手段】  主に光ディスクドライブの主軸モーターを光学ピックアップであって、ヘッドと同軸線上にするための水平方向の位置調整ができ、第一位置調整部品と第二位置調整部品、第一調整バネと第二調整バネを含み、該第一位置調整部品と該第二位置調整部品はそれぞれ該第一調整バネと該第二調整バネに水平方向の長さ変化を生じさせ、該第一調整バネと該第二調整バネはそれぞれ該主軸モーターの水平方向の位置において設置し、これにより該水平方向において生じる長さ変化は該主軸モーターに対して水平方向の調整をする。【選択図】    図３
0003101906.tif 000002
【実用新案登録請求の範囲】
【請求項１】
主に、光ディスクドライブの主軸モーターを光学ピックアップヘッドと同軸線上にするための水平方向の位置調整の機構であって、
前記水平方向の位置調整の機構は、第一位置調整部品と第二位置調整部品、第一調整バネと第二調整バネを含み、
該第一位置調整部品と該第二位置調整部品はそれぞれ該第一調整バネと該第二調整バネに水平方向の長さ変化を生じさせ、
該第一調整バネと該第二調整バネはそれぞれ該主軸モーターの水平方向の位置において設置し、これにより該水平方向において生じる長さ変化は該主軸モーターに対して水平方向の調整出来ることを特徴とする主軸モーターの水平方向調整装置。
【請求項２】
前記第一位置調整部品と前記第二位置調整部品はネジであることを特徴とする請求項１記載の主軸モーターの水平方向調整装置。
【請求項３】
前記ネジはそれぞれ前記第一調整バネ及び前記第二調整バネと螺接し、前記ネジを回転させることにより、前記第一調整バネ及び前記第二調整バネに長さ変化を生じることを特徴とする請求項２記載の主軸モーターの水平方向調整装置。
【請求項４】
前記第一調整バネ及び前記第二調整バネの形状はそれぞれ弧状とすることを特徴とする請求項１記載の主軸モーターの水平方向調整装置。
【請求項５】
前記第一調整バネ及び前記第二調整バネはそれぞれ金属片であることを特徴とする請求項１記載の主軸モーターの水平方向調整装置。
【請求項６】
前記第一調整バネ及び前記第二調整バネの一端はそれぞれ基板上に接触固定することを特徴とする請求項１記載の主軸モーターの水平方向調整装置。
【請求項７】
前記第一調整バネ及び前記第二調整バネの反対端はそれぞれ前記モーター基板上に接触固定することを特徴とする請求項１記載の主軸モーターの水平方向調整装置。
【考案の詳細な説明】
【技術分野】
【０００１】
本考案は一種の光ディスクドライブ主軸モーターの位置調整に用いる装置に関する。特に一種の光ディスクドライブ主軸モーターの水平方向調整装置に係る。
【背景技術】
【０００２】
公知の光ディスクドライブ主軸モーターと光学ピックアップヘッドの調整は同軸線において行い、多くは基板上に複数個の定位孔を設置し、ネジに緊密に螺合する方式により、該主軸モーターを該定位孔上に固定する。該定位孔位置は既に設計されているため、螺合後の主軸モーターと光学ピックアップヘッドを同軸線に設置することができる。
しかし、該公知の方式は誤差が生じ易く、極めてわずかな誤差範囲において同軸線に正確に照準を合わせなければならない時には、この方式では微調整ができない。
【０００３】
例えば、特許文献１の台湾特許公告第４５４９２５号の装置は、「光学ピックアップヘッドと光ディスクドライブ主軸モーターの定位装置」が示す光学ピックアップヘッドと光ディスクドライブ主軸モーターの定位装置は、光ディスクドライブにおいて、光ディスクドライブ主軸モーターのディスク設置面と光学ピックアップヘッドの対物レンズを利用し、同一基準を達成する装置である。
該装置はガイドユニット、主軸基板を含み、該ガイドユニットは相互に平行で同一基準平面に位置する第一ガイドバーと第二ガイドバーを含み、該光学ピックアップヘッドを支え、しかも、該光学ピックアップヘッドは該基準平面方向に沿ってスライド移動する。
該主軸基板は、該光ディスクドライブ主軸モーターを搭載し、固定するモーター搭載面、及び該第一、第二ガイドバーを搭載する搭載部を含む。該搭載部は該光ディスクドライブ主軸モーターの外周を取り囲み、しかも、該光ディスクドライブ主軸モーターの該ディスク搭載面と平行である。
しかしながら、従来の上記考案は主に主軸モーターのディスク搭載面と光学ピックアップヘッドの対物レンズの同一基準を達成するものであるが、該主軸モーターと該光学ピックアップヘッドの対物レンズをいかにして同軸線に調整するかについては触れていない。
【特許文献１】台湾特許公告第４５４９２５号
【考案の開示】
【考案が解決しようとする課題】
【０００４】
上記公知構造の欠点を解決するため、本考案は、主軸モーターの水平方向調整装置において、調整後の主軸モーターと光学ピックアップヘッドは同軸線上の位置になるような主軸モーターの水平方向調整装置を提供する。
【課題を解決するための手段】
【０００５】
上記課題を解決するため、本考案は下記の主軸モーターの水平方向調整装置を提供するもので、それは主に光ディスクドライブの主軸モーターを光学ピックアップヘッドと同軸線上にするための水平方向の位置調整に用いる。
本考案構造は、第一位置調整部品と第二位置調整部品、第一調整バネと第二調整バネを含む。該第一位置調整部品と該第二位置調整部品はそれぞれ該第一調整バネと該第二調整バネに水平方向の長さ変化を生じさせる。該第一調整バネと該第二調整バネはそれぞれ該主軸モーターの水平方向の位置において設置し、これにより該水平方向において生じる長さ変化は該主軸モーターに対して水平方向の調整を提供する。
【０００６】
すなわち、請求項１の考案は、主に、光ディスクドライブの主軸モーターを光学ピックアップヘッドと同軸線上にするための水平方向の位置調整の機構であって、前記水平方向の位置調整の機構は、第一位置調整部品と第二位置調整部品、第一調整バネと第二調整バネを含み、該第一位置調整部品と該第二位置調整部品はそれぞれ該第一調整バネと該第二調整バネに水平方向の長さ変化を生じさせ、該第一調整バネと該第二調整バネはそれぞれ該主軸モーターの水平方向の位置において設置し、これにより該水平方向において生じる長さ変化は該主軸モーターに対して水平方向の調整出来ることを特徴とする主軸モーターの水平方向調整装置である。
【０００７】
請求項２の考案は、前記第一位置調整部品と前記第二位置調整部品はネジであることを特徴とする請求項１記載の主軸モーターの水平方向調整装置である。
請求項３の考案は、前記ネジはそれぞれ前記第一調整バネ及び前記第二調整バネと螺接し、前記ネジを回転させることにより、前記第一調整バネ及び前記第二調整バネに長さ変化を生じることを特徴とする請求項２記載の主軸モーターの水平方向調整装置である。
請求項４の考案は、前記第一調整バネ及び前記第二調整バネの形状はそれぞれ弧状とすることを特徴とする請求項１記載の主軸モーターの水平方向調整装置である。
請求項５の考案は、前記第一調整バネ及び前記第二調整バネはそれぞれ金属片であることを特徴とする請求項１記載の主軸モーターの水平方向調整装置である。
請求項６の考案は、前記第一調整バネ及び前記第二調整バネの一端はそれぞれ基板上に接触固定することを特徴とする請求項１記載の主軸モーターの水平方向調整装置である。
請求項７の考案は、前記第一調整バネ及び前記第二調整バネの反対端はそれぞれ前記モーター基板上に接触固定することを特徴とする請求項１記載の主軸モーターの水平方向調整装置である。
【考案の効果】
【０００８】
上記のように、本考案は水平方向調整装置の調整操作を便利にするためにスクリュードライバーを調整工具として用いるだけでよく、調整用途の工具を特別に購入する必要はない。またネジを第一位置調整部品と第二位置調整部品の実施手段とするが、該ネジは本考案の第一調整バネと第二調整バネに対してそれぞれ水平方向の長さ変化を生じる他に、該モーター基板の固定機能をも提供することができる。こうして、固定機能にだけ使用するネジの使用数量を減少させることができる。
【考案を実施するための最良の形態】
【０００９】
本考案の実施例を図面に沿って説明する。図１は本考案の実施例の水平方向調整装置の立体図、図２は本考案の水平方向調整装置の俯瞰図である。
これらの図に示すように、本考案の実施例の水平方向調整装置１０は主に主軸モーター２０の水平方向Ａの調整を可能にし、位置調整後の該主軸モーター２０と光学ピックアップヘッド３０の対物レンズ（図示なし）は同軸線となる。
図３は本実施例の水平方向調整装置のＢ線位置における断面図である。
図３に示すように、該水平方向調整装置１０は主に、第一位置調整部品１０ｂ１と第二位置調整部品１０ｂ２、及び第一調整バネ１０ａ１と第二調整バネ１０ａ２を含む。該第一位置調整部品１０ｂ１と該第二位置調整部品１０ｂ２の主な機能は、それぞれ該第一調整バネ１０ａ１と該第二調整バネ１０ａ２によって水平方向Ａの長さ変化Ｃの調整を可能にするもので、該第一調整バネ１０ａ１と該第二調整バネ１０ａ２はそれぞれ該主軸モーター２０の水平方向Ａ位置上に設置し、水平方向Ａが生じる長さの変化Ｃにおいて、該主軸モーター２０に対し水平方向の調整をするために用いる。
【００１０】
本実施例の第一位置調整部品１０ｂ１と第二位置調整部品１０ｂ２はネジを具体的実施手段として利用することができる。該第一調整バネ１０ａ１と該第二調整バネ１０ａ２は弾力性に優れた弧状金属片を具体的実施手段として利用することができる。
続いて、本考案の実施例の水平方向調整装置１０の作動について説明する。  該第一調整バネ１０ａ１と該第二調整バネ１０ａ２の一端はそれぞれが基板４０上に接触固定され、反対端はそれぞれがモーター基板５０上に接触固定される。該モーター基板５０の機能は主に該主軸モーター３０を搭載し、固定することである。構造上は、該モーター基板５０と該主軸モーター３０は一体と見なすことができる。スクリュードライバーにより上記ネジを回転させることにより、該弧状金属片は長さ変化Ｃを生じる。  該弧状金属片は該基板４０の一端において固定され動かないため、該弧状金属片の長さ変化Ｃに影響を与え、該モーター基板５０の反対端においても接触固定する。該弧状金属片はネジの加圧により伸張する長さ変化Ｃを生じるため、該弧状金属片の弾力性は水平方向Ａにおいて該モーター基板５０の水平位置を移動する。こうして、対向する第一調整バネ１０ａ１と該第二調整バネ１０ａ２の弾力性が常に働き、主軸モーター３０の水平方向Ａの元の位置に戻るように互いに押し合い位置を移動して調整する。  
【図面の簡単な説明】
【００１１】
【図１】本考案の実施例の水平方向調整装置の立体図である。
【図２】本考案の実施例の水平方向調整装置の俯瞰図である。
【図３】本考案の実施例の水平方向調整装置の図２のＢ線位置における断面図である。
【符号の説明】
【００１２】
１０        水平方向調整装置
１０ａ１    第一調整バネ
１０ａ２    第二調整バネ
１０ｂ１    第一位置調整部品
１０ｂ２    第二位置調整部品
２０        主軸モーター
３０        光学ピックアップヘッド
４０        基板
５０        モーター基板
【図１】
0003101906.tif 000003
【図２】
0003101906.tif 000004
【図３】
0003101906.tif 000005